(57)【要約】  【課題】  提供する映像の視度が可変で、小型軽量の頭部装着型映像表示装置を提供する。  【解決手段】  映像表示装置(1)は、２つの光源と液晶表示素子(11c)より成る表示部と、重ね合わせた２つのホログラフィック素子(12a,12b)より成る観察光学系(12)を備える。２つの光源は波長の異なる照明光を発して液晶表示素子(11c)を照明し、液晶表示素子(11c)は照明光を変調して波長の異なる第１、第２の映像光を生成する。ホログラフィック素子(12a)は、第１の映像光を反射して眼(E)に導き、第１の映像光が表す映像の虚像を位置(Pa)に提供する。ホログラフィック素子(12b)は、第２の映像光を反射して眼(E)に導き、第２の映像光が表す映像の虚像を位置(Pb)に提供する。照明光を発する光源を切り替えることで、映像の視度を変える。ホログラフィック素子(12a,12b)を介して外界の観察も可能である。【選択図】      図１
2006017991.tif 000002
【特許請求の範囲】
【請求項１】
使用者の頭部に装着される映像表示装置であって、
第１の光で映像を表示する第１の状態と、第１の光とは波長の異なる第２の光で映像を表示する第２の状態をとる表示部と、
表示部からの第１の光を使用者の眼に導いて、使用者の眼から第１の距離の位置に第１の光が表す映像の虚像を提供する第１のホログラフィック素子と、
表示部からの第２の光を使用者の眼に導いて、使用者の眼から第２の距離の位置に第２の光が表す映像の虚像を提供する第２のホログラフィック素子と、
表示部の第１の状態と第２の状態を切り替える制御部
を備えることを特徴とする映像表示装置。
【請求項２】
第１のホログラフィック素子と第２のホログラフィック素子が、外界からの光を透過させて使用者の眼に導くことを特徴とする請求項１に記載の映像表示装置。
【請求項３】
第１のホログラフィック素子と第２のホログラフィック素子が同一部材の同一面上に設けられていることを特徴とする請求項１に記載の映像表示装置。
【請求項４】
第２のホログラフィック素子が提供する虚像の大きさを第１のホログラフィック素子が提供する虚像の大きさに一致させる第３のホログラフィック素子を、第１のホログラフィック素子と第２のホログラフィック素子から離間した位置に備えることを特徴とする請求項３に記載の映像表示装置。
【請求項５】
使用者の姿勢を検出する検出部を備え、
検出部が検出した使用者の姿勢に応じて、制御部が表示部の第１の状態と第２の状態を切り替えることを特徴とする請求項１に記載の映像表示装置。
【請求項６】
表示部からの第１の光が波長の異なる複数の光を含んで、各光でカラー映像の色成分映像を表し、
第１のホログラフィック素子が第１の光に含まれる各光が表す色成分映像の虚像を同一面上に重ねて提供し、
表示部からの第２の光が波長の異なる複数の光を含んで、各光でカラー映像の色成分映像を表し、
第２のホログラフィック素子が第２の光に含まれる各光が表す色成分映像の虚像を同一面上に重ねて提供する
ことを特徴とする請求項１に記載の映像表示装置。
【発明の詳細な説明】
【技術分野】
【０００１】
本発明は、使用者の頭部に装着され眼前にて使用される映像表示装置に関し、特に、表示した映像と共に外界も観察することが可能な映像表示装置に関する。
【背景技術】
【０００２】
頭部に装着されて眼前にて使用される頭部装着型の映像表示装置が、個人用の映像表示装置として普及しつつある。このような映像表示装置は、小型軽量であることが望ましく、小さな表示素子と、その表示素子に表示した映像の拡大虚像を提供する観察光学系とで構成するのが一般的である。また、眼から提供する映像（虚像）までの距離を可変として、使用者に適した視度で映像を観察できるようにするのが望ましい。
【０００３】
視度を変え得るようにした頭部装着型の映像表示装置は、例えば以下の公報に提案されている。
【特許文献１】特開２００１−２６４６８１号公報
【特許文献２】特開２０００−３３００６９号公報
【特許文献３】特開２０００−２９８２３７号公報
【特許文献４】特開平６−３２６９４５号公報
【０００４】
特開２００１−２６４６８１号では、観察光学系の一部を成す光学素子を光軸に沿って移動させることにより視度を変化させる。特開２０００−３３００６９号では、観察光学系として自由局面を有するプリズムを用い、プリズムと表示素子の間隔を変えることにより視度を変化させる。特開２０００−２９８２３７号では、観察光学系の一部として形状可変ミラーを用い、ミラーの形状を変えることにより視度を変化させる。また、特開平６−３２６９４５号では、観察光学系の一部として印加電圧により屈折率が変化する液晶レンズを用い、液晶レンズの屈折率を変えることにより視度を変化させる。
【０００５】
近年では、映像と共に外界を観察し得るようにしたいわゆるシースルーの映像表示装置も提案されている。シースルーの映像表示装置は日常生活で常時装着することが可能であり、使用者は映像によって常に情報を得ることができて、便利である。例えば、講演において、スピーチの内容を映像で提供するようにすれば、聴覚に障害を持つ人も容易に聴講することができる。
【０００６】
ただし、外界のうち使用者が注視する部分は頻繁に変わり、それに伴って注視距離が大きく変化するから、提供する映像の視度が固定であれば、外界を見るときと映像を見るときの視度の不一致が大きくなり易く、使用者の眼に大きな負担がかかる。したがって、シースルーの映像表示装置では、映像の視度を可変とすることが一層重要であり、しかも、注視距離の変化に応じて速やかに映像の視度を切り替え得るようにするのが望ましい。
【発明の開示】
【発明が解決しようとする課題】
【０００７】
ここで、上記の各公報の技術を用いてシースルーの映像表示装置の視度を可変とすることは可能である。しかしながら、特開２００１−２６４６８１号や特開２０００−３３００６９号のように光学素子を機械的に移動させる方法では、駆動機構や動力源が必要になって、小型軽量化の実現が困難である。また、特開２０００−２９８２３７号公報のように形状可変ミラーを用いる方法では、ミラーの形状を制御するために演算装置、駆動回路等が必要となり、やはり小型軽量化が難しい。特開平６−３２６９４５号公報のように液晶レンズを用いる方法では、光学系の薄型化が難しい上、印加電圧を制御する制御装置も必要となり、やはり小型軽量化は難しい。しかも、形状可変ミラーや液晶レンズは特殊な光学素子であるため高価であり、コスト増を招く。
【０００８】
本発明は、このような問題点に鑑みてなされたもので、提供する映像の視度が可変でありながら、小型軽量化が容易な頭部装着型の映像表示装置を実現することを目的とする。
【課題を解決するための手段】
【０００９】
上記目的を達成するために、本発明では、使用者の頭部に装着される映像表示装置は、第１の光で映像を表示する第１の状態と、第１の光とは波長の異なる第２の光で映像を表示する第２の状態をとる表示部と、表示部からの第１の光を使用者の眼に導いて、使用者の眼から第１の距離の位置に第１の光が表す映像の虚像を提供する第１のホログラフィック素子と、表示部からの第２の光を使用者の眼に導いて、使用者の眼から第２の距離の位置に第２の光が表す映像の虚像を提供する第２のホログラフィック素子と、表示部の第１の状態と第２の状態を切り替える制御部を備えるものとする。
【００１０】
この映像表示装置では、表示部が第１の状態であるか第２の状態であるかによって、映像を表す光の波長は異なり、使用者の眼から虚像までの距離も異なる。したがって、表示部の状態によって提供する映像の視度を切り替えることができる。視度の切り替えは、表示のオン／オフで行うため、機械的な駆動機構や特殊な光学素子を必要とせず、また、ホログラフィック素子は薄く軽量であるため、小型軽量の装置となる。しかも、視度の切り替えを瞬時に行うことが可能である。なお、ホログラフィック素子は、光の回折を利用するものであるため波長選択性が高く、第１、第２のホログラフィック素子がそれぞれ第１、第２の光のみに作用するようにすることは容易である。
【００１１】
ここで、第１のホログラフィック素子と第２のホログラフィック素子が、外界からの光を透過させて使用者の眼に導くようにすることができる。このようにするとシースルーの装置となり、日常生活での使用が可能になる。しかも、提供する映像の視度を切り替えることができるため、日常生活で使用しても使用者の眼にかかる負担は少ない。
【００１２】
第１のホログラフィック素子と第２のホログラフィック素子が同一部材の同一面上に設けられている構成とするとよい。ホログラフィック素子を個別に保持する必要がなく、構成が簡素になって、小型軽量化が一層容易になる。
【００１３】
この場合、第２のホログラフィック素子が提供する虚像の大きさを第１のホログラフィック素子が提供する虚像の大きさに一致させる第３のホログラフィック素子を、第１のホログラフィック素子と第２のホログラフィック素子から離間した位置に備えるようにするのが好ましい。眼からの距離が異なる位置に虚像を提供するようにするためには、第１、第２のホログラフィック素子の焦点距離を相違させておくことになるが、第１、第２のホログラフィック素子が近接して配置されていると、それらが提供する虚像の大きさは焦点距離の差に応じて相違する。しかし、第１、第２のホログラフィック素子から離れた位置に第２の光にのみ作用する第３のホログラフィック素子を備えることで、虚像の大きさを揃えることが可能になる。
【００１４】
使用者の姿勢を検出する検出部を備え、検出部が検出した使用者の姿勢に応じて、制御部が表示部の第１の状態と第２の状態を切り替えるようにするとよい。このようにすると、使用者の姿勢に応じて自動的に視度を切り替えることが可能になり、視度切り替えのために使用者が何らかの操作をする必要がなくなる。例えば、姿勢として頭部の前後方向の傾きを検出するようにすれば、使用者が近くを見ているか遠くを見ているかに応じた適切な視度を自動的に設定することができる。
【００１５】
表示部からの第１の光が波長の異なる複数の光を含んで、各光でカラー映像の色成分映像を表し、第１のホログラフィック素子が第１の光に含まれる各光が表す色成分映像の虚像を同一面上に重ねて提供し、表示部からの第２の光が波長の異なる複数の光を含んで、各光でカラー映像の色成分映像を表し、第２のホログラフィック素子が第２の光に含まれる各光が表す色成分映像の虚像を同一面上に重ねて提供するようにしてもよい。情報量の多いカラー映像を提供しながら、視度を切り替え得る装置となる。
【発明の効果】
【００１６】
本発明の映像表示装置は、提供する映像の視度が切り替え可能でありながら、視度の切り替えを表示のオン／オフで行うため、機械的な駆動機構や特殊な光学素子を必要とせず、また、視度設定のためにホログラフィック素子を用いるため、小型軽量の装置となる。しかも、視度の切り替えを瞬時に行うことが可能である。
【発明を実施するための最良の形態】
【００１７】
以下、本発明の実施形態について図面を参照しながら説明する。第１の実施形態の映像表示装置１の光学構成を図１に模式的に示し、回路構成を図２に模式的に示す。映像表示装置１は、映像を表示する表示部１１、および、表示部１１からの映像光を使用者の眼Ｅに導いて、映像光が表す拡大虚像を提供する観察光学系１２を備える。なお、映像表示装置１は、使用者の頭部に装着するための装着部（不図示）を有しており、頭部に装着された状態では、図１に示すように、観察光学系１２が眼Ｅの直前に位置し、表示部１１がその上方に位置する。
【００１８】
表示部１１は、与えられる照明光を変調することにより映像光を生成する液晶表示素子（ＬＣＤ）１１ｃと、照明光を供給する２つの光源１１ａ、１１ｂより成る。光源１１ａ、１１ｂは、例えば発光ダイオード（ＬＥＤ）であり、近接して配置されている。
【００１９】
光源１１ａ、１１ｂは波長の異なる第１の照明光と第２の照明光をそれぞれ発し、表示部１１は、光源１１ａ、１１ｂのどちらを発光させるかによって、波長の異なる第１の映像光と第２の映像光を生成することができる。表示部１１の第１の映像光を生成する第１の状態と、第２の映像光を生成する第２の状態は、切り替え可能である。第１、第２の映像光（照明光）の波長λａ、λｂは、例えば、それぞれ５２０ｎｍ、５４０ｎｍであり、２０ｎｍ以上離れている。
【００２０】
観察光学系１２は、２つのホログラフィック素子（ＨＯＥ）１２ａ、１２ｂで構成されている。これらのホログラフィック素子１２ａ、１２ｂは、重ね合わせて配置されており、保持部材（不図示）の表面に設けられている。
【００２１】
第１のホログラフィック素子１２ａは、第１の映像光と同じ波長の光でホログラム感光材料を露光することにより作製されており、第２のホログラフィック素子１２ｂは、第２の映像光と同じ波長の光でホログラム感光材料を露光することにより作製されている。第１、第２のホログラフィック素子１２ａ、１２ｂはいずれも、表示部１１からの映像光を反射して眼Ｅに導き、映像光が表す映像の拡大虚像を眼Ｅに提供するように設定されている。
【００２２】
ただし、眼Ｅから第１のホログラフィック素子１２ａが提供する虚像までの距離と、眼Ｅから第２のホログラフィック素子１２ｂが提供する虚像までの距離は相違する。図１に、第１のホログラフィック素子１２ａが提供する虚像の位置Ｐａと、第２のホログラフィック素子１２ｂが提供する虚像の位置Ｐｂを示す。眼Ｅから虚像位置Ｐａ、Ｐｂまでの距離は、例えば、それぞれ５ｍ、０．３ｍである。虚像位置Ｐｂは眼Ｅと虚像位置Ｐａを結ぶ直線上に位置する。表示部１１が第１の映像光を生成する第１の状態にあるか、第２の映像光を生成する第２の状態にあるかによって、眼Ｅから虚像位置までの距離は変化し、これにより、使用者に提供される映像の視度が切り替わる。
【００２３】
一般に、ホログラフィック素子は高い波長選択性を有し、設計波長を中心とする波長幅２０ｎｍ程度の光に対してのみ作用する。第１、第２のホログラフィック素子１２ａ、１２ｂも同様の波長選択性を有しており、したがって、第１のホログラフィック素子１２ａは第２の映像光には作用せずに透過させ、第２のホログラフィック素子１２ｂも第１の映像光には作用せずに透過させる。表示部１１が第１の状態にあるときには位置Ｐａの虚像のみが観察され、表示部１１が第２の状態にあるときには位置Ｐｂの虚像のみが観察されることになる。
【００２４】
また、第１、第２のホログラフィック素子１２ａ、１２ｂはいずれも、外界からの光の大部分を透過させることになり、眼Ｅには外界からの光が入射して、使用者は映像（虚像）に重ねて外界を観察することができる。つまり、映像表示装置１はシースルーになっている。
【００２５】
図２に示すように、映像表示装置１は、表示駆動部１３、制御部１４、および操作部１５を備えている。表示駆動部１３は、映像信号に基づいて液晶表示素子１１ｃを駆動する。制御部１４は、表示駆動部１３による液晶表示素子１１ｃの駆動、および光源１１ａ、１１ｂの発光を制御する。また、操作部１５は、使用者によって操作されて、使用者から与えられる指示を制御部１４に伝達する。使用者が与える指示には、映像表示の開始と終了のほか、表示部１１の第１の状態と第２の状態の切り替えが含まれる。
【００２６】
制御部１４は、表示部１１を第１の状態にすべき指示が与えられると、光源１１ａのみを発光させ、表示部１１を第２の状態にすべき指示が与えられると、光源１１ｂのみを発光させる。これで、映像光の波長が切り替わり、眼Ｅから虚像までの距離すなわち視度が切り替わる。使用者は、遠くを見ているときは表示部１１を第１の状態にし、近くを見ているときは表示部１１を第２の状態にすることで、外界のうち注視している部分の視度に近い視度で映像を観察することができ、眼Ｅへの負担は少ない。
【００２７】
なお、映像表示装置１では、虚像をより遠くに提供する第１のホログラフィック素子１２ａを、虚像をより近くに提供する第２のホログラフィック素子１２ｂよりも、眼Ｅの近くに配置しているが、これらの配置を逆にしてもよい。
【００２８】
第２の実施形態の映像表示装置２の光学構成を図３に模式的に示す。この映像表示装置２は、第１の実施形態の映像表示装置１を修飾して、観察光学系１２を３つのホログラフィック素子１２ａ、１２ｂ、１２ｃ、およびプリズム１２ｄで構成したものである。第１、第２のホログラフィック素子１２ａ、１２ｂは映像表示装置１のものと同じであり、表示部１１も映像表示装置１のものと同じである。
【００２９】
プリズム１２ｄは、ホログラフィック素子１２ａ、１２ｂを保持する機能と、表示部１１からの映像光をホログラフィック素子１２ａ、１２ｂに導く機能とを有する。表示部１１の液晶表示素子１１ｃからの映像光は、プリズム１２ｄの上端面よりプリズム１２ｄ内に入り、側面で全反射されて、プリズム１２ｄの下端面（斜面）に設けられたホログラフィック素子１２ａ、１２ｂに達する。
【００３０】
第１、第２のホログラフィック素子１２ａ、１２ｂは近接しており、しかも、眼Ｅからの距離が異なる位置に虚像を提供する設定であるため、両者の焦点距離は相違し、他にパワーを有する光学部材が存在しなければ、第１、第２のホログラフィック素子１２ａ、１２ｂが提供する虚像の大きさには、焦点距離の差に応じた差が生じる。第３のプリズム１２ｃは、第２のホログラフィック素子１２ｂの拡大倍率を補正して、第２のホログラフィック素子１２ｂが提供する虚像の大きさを、第１のホログラフィック素子１２ａが提供する虚像の大きさに一致させる。
【００３１】
第３のホログラフィック素子１２ｃは、この効果を奏し得るようにするために、第１、第２のホログラフィック素子１２ａ、１２ｂから離れた位置に配置されている。具体的には、プリズム１２ｄの上端面に設けられている。また、第３のホログラフィック素子１２ｃは、表示部１１からの第２の映像光のみに作用するようにするために、第２の映像光（照明光）と同一の波長λｂでホログラム感光材料を露光することによって作製されている。
【００３２】
なお、本実施形態では、第３のホログラフィック素子１２ｃによって第２のホログラフィック素子１２ｂの拡大倍率を補正するようにしているが、第１のホログラフィック素子１２ａの拡大倍率を補正するようにしてもよい。
【００３３】
第３の実施形態の映像表示装置３の光学構成を図４に模式的に示し、使用者が映像表示装置３を頭部に装着した状態を図５に示す。この映像表示装置３は、モノクローム映像を提供する第１、第２の実施形態の映像表示装置１、２とは異なり、カラー映像を提供する。また、第２の映像光の虚像位置Ｐｂが眼Ｅと第１の映像光の虚像位置Ｐａを結ぶ直線上に位置する映像表示装置１、２とは異なり、虚像位置Ｐｂは眼Ｅと虚像位置Ｐａを結ぶ直線のやや下方に設定されている。
【００３４】
カラー映像を提供するために、第１の照明光を発するための光源１１ａとしては、赤色光の波長域に属する光を発するものと、緑色光の波長域に属する光を発するものと、青色光の波長域に属する光を発するものとを備え、第２の照明光を発するための光源１１ｂとしても、赤色光の波長域に属する光を発するものと、緑色光の波長域に属する光を発するものと、青色光の波長域に属する光を発するものとを備えている。
【００３５】
ただし、光源１１ａが発する赤色光の波長と光源１１ｂが発する赤色光の波長は異なり、緑色光と青色光についてもそれぞれ波長は異なる。例えば、光源１１ａが発する光の波長は６２０ｎｍ（赤）、５２０ｎｍ（緑）、４５０ｎｍ（青）であり、光源１１ｂが発する光の波長は６４０ｎｍ（赤）、５４０ｎｍ（緑）、４７０ｎｍ（青）である。
【００３６】
第１のホログラフィック素子１２ａは、第１の映像光に含まれる各波長の光が表す色成分映像の虚像を同じ拡大倍率で同一平面上（位置Ｐａ）に提供する。同様に、第２のホログラフィック素子１２ｂは、第２の映像光に含まれる各波長の光が表す色成分映像の虚像を同じ拡大倍率で同一平面上（位置Ｐｂ）に提供する。
【００３７】
第１のホログラフィック素子１２ａは、第１の映像光に含まれる光と同じ波長の３種の
光で個別に露光した３つのホログラム感光材料を積層することによって作製されており、第２のホログラフィック素子１２ｂも、第２の映像光に含まれる光と同じ波長の３種の光で個別に露光した３つのホログラム感光材料を積層することによって作製されている。なお、第１、第２のホログラフィック素子１２ａ、１２ｂは、感光波長帯域の広いホログラム感光材料を第１、第２の映像光に含まれる光と同じ波長の３種の光で多重露光することによって作製することも可能である。
【００３８】
眼Ｅと虚像位置Ｐａを結ぶ直線の下方に虚像位置Ｐｂを設定するために、第１のホログラフィック素子Ｐａと第２のホログラフィック素子Ｐｂは、後者が前者の下方に位置し、かつ互いに接するように、保持部材（不図示）の同一表面上に並べて配置されている。また、光源１１ａからの照明光の大部分を第１のホログラフィック素子１２ａに導き、光源１１ｂからの照明光の大部分を第２のホログラフィック素子１２ｂに導いて、光の損失を抑えるために、光源１１ａ、１１ｂは前後方向に離間して配置されており、光源１１ａ、１１ｂと液晶表示素子１１ｃとの間に、照明用レンズ１１ｄが備えられている。
【００３９】
表示部１１が第１の状態にあるとき、光源１１ａからの照明光はレンズ１１ｄを経て液晶表示素子１１ｃに入射し、第１の映像光となる。この映像光は、大部分が第１のホログラフィック素子１２ａに入射し、一部が第２のホログラフィック素子１２ｂに入射する。第１のホログラフィック素子１２ａは、入射した第１の映像光を全て反射して眼Ｅに導き、位置Ｐａに第１の映像光が表すカラー映像の拡大虚像を提供する。一方、第２のホログラフィック素子１２ｂは、入射した第１の映像光には作用せず、第１の映像光を透過させて棄てる。
【００４０】
また、表示部１１が第２の状態にあるとき、光源１１ｂからの照明光はレンズ１１ｄを経て液晶表示素子１１ｃに入射し、第２の映像光となる。この映像光は、大部分が第２のホログラフィック素子１２ｂに入射し、一部が第１のホログラフィック素子１２ａに入射する。第２のホログラフィック素子１２ｂは、入射した第２の映像光を全て反射して眼Ｅに導き、位置Ｐｂに第２の映像光が表すカラー映像の拡大虚像を提供する。一方、第１のホログラフィック素子１２ａは、入射した第２の映像光には作用せず、第２の映像光を透過させて棄てる。
【００４１】
図５に示すように、映像表示装置３は一般の眼鏡の如き形状を有しており、装着が容易である。図５において、（ａ）は使用者が遠方を見ている状態を表しており、（ｂ）は手元付近を見ている状態を表している。
【００４２】
映像表示装置３は、使用者の姿勢を検出する姿勢検出部１６を有しており、姿勢検出部１６の出力は制御部１４に与えられて、表示部１１の第１の状態と第２の状態の切り替えに用いられる。映像表示装置３の回路は、図２に示したものに、姿勢検出部１６を加えた構成となっている。ただし、操作部１５には、表示部１１の状態を切り替える指示を受け付けるための部材は含まれておらず、映像表示装置３では、姿勢検出部１６の検出結果に応じて、表示部１１の第１の状態と第２の状態が自動的に切り替えられる。
【００４３】
姿勢検出部１６は、水平方向からの傾きを検出する水平センサで構成されており、使用者の頭部の前後方向の傾きを検出する。制御部１５は、水平方向を基準として頭部の前方下方への傾きが所定角度以下のときは、表示部１１を第１の状態にして（光源１１ａのみを発光させて）、虚像をより遠い位置Ｐａに設定し、頭部の前方下方への傾きが所定角度を超えるときは、表示部１１を第２の状態にして（光源１１ｂのみを発光させて）、虚像をより近い位置Ｐｂに設定する。
【００４４】
なお、表示部１１の第１、第２の状態の切り替えの判定基準とする上記所定角度は、３０゜〜４５゜である。この所定角度を可変とし、操作部１５を介して使用者が設定し得るようにしてもよい。
【００４５】
使用者が図５（ｂ）のように手元付近を見るのは、文字等を読むためである場合が多いが、そのようなときに提供する映像（虚像）が注視点に重なると、文字等の識別が困難になる可能性がある。しかし、映像表示装置３では、虚像位置Ｐｂをやや下方に設定しているため、使用者が手元付近を見るときに、映像が注視点に重なることがなく、文字等の識別に支障は生じない。
【００４６】
上記の各実施形態では、映像を表示して映像光を生成するための素子として、照明光を変調する液晶表示素子１１ｃを採用した例を掲げたが、エレクトロルミネセンス素子（ＥＬ）のように、自ら映像光を発するものを用いることもできる。また、各実施形態に示した映像表示装置１〜３を１対備えて、両眼に映像を提供するようにしてもよい。映像表示装置１〜３はシースルーであるから、そのようにしても安全である。なお、両眼に映像を提供する場合でも姿勢検出部１６は１つのみあればよい。
【図面の簡単な説明】
【００４７】
【図１】第１の実施形態の映像表示装置の光学構成を模式的に示す図。
【図２】第１の実施形態の映像表示装置の回路構成を模式的に示す図。
【図３】第２の実施形態の映像表示装置の光学構成を模式的に示す図。
【図４】第３の実施形態の映像表示装置の光学構成を模式的に示す図。
【図５】使用者が第３の実施形態の映像表示装置を頭部に装着した状態を示す図。
【符号の説明】
【００４８】
１、２、３  映像表示装置
１１    表示部
１１ａ、１１ｂ  光源
１１ｃ  液晶表示素子
１１ｄ  照明用レンズ
１２    観察光学系
１２ａ、１２ｂ、１２ｃ  ホログラフィック素子
１２ｄ  プリズム
１３    表示駆動部
１４    制御部
１５    操作部
１６    姿勢検出部
Ｐａ、Ｐｂ  虚像位置
【図１】
2006017991.tif 000003
【図２】
2006017991.tif 000004
【図３】
2006017991.tif 000005
【図４】
2006017991.tif 000006
【図５】
2006017991.tif 000007